(57)【要約】【課題】  所定のユーザから受け入れた印刷ジョブの印刷処理実行中に他の印刷ジョブによる割り込み処理が可能な画像処理装置に於いて、印刷中の印刷ジョブと、割り込み要求に基づく印刷ジョブとの間の優先度の高低を考慮すること。【解決手段】  割り込みコピー処理部１０５が上記所定のユーザから割り込み処理の許可を取得すると、印刷予約取得部１０４が、先入れ先出し順にかかわらず、割り込み処理の許可に基づく印刷ジョブの印刷処理実行順を先頭に移動させる。【選択図】図１
2009193501.tif 000002
【特許請求の範囲】
【請求項１】
第一のユーザから受け入れた印刷ジョブの印刷処理実行中に他の印刷ジョブによる割り込み処理が可能な画像処理装置であって、
複数の印刷ジョブの印刷処理実行を先入れ先出し順に受け入れる印刷予約部と、
第二のユーザの割り込み処理の要求により該割り込み処理要求に基づく印刷ジョブのジョブ情報を取得し、前記第一のユーザへ送出し、割り込み処理の許可を求める割り込み処理部とを備え、
前記割り込み処理部が前記割り込み処理の許可を取得すると、前記印刷予約部が、前記割り込み処理の許可に基づく印刷ジョブの印刷処理実行順を先頭に移動させることを特徴とする画像処理装置。
【請求項２】
前記印刷ジョブのジョブ情報は、該印刷ジョブのユーザ情報であることを特徴とする請求項１に記載の画像処理装置。
【請求項３】
前記ユーザ情報を予め格納するユーザ情報記憶部を更に備えることを特徴とする請求項２に記載の画像処理装置。
【請求項４】
前記印刷ジョブのジョブ情報は、該印刷ジョブの印刷枚数であることを特徴とする請求項１に記載の画像処理装置。
【請求項５】
前記割り込み処理の許可に基づく印刷ジョブの印刷枚数を算出する印刷枚数取得部を更に備えることを特徴とする請求項４に記載の画像処理装置。
【請求項６】
請求項１から請求項５までの何れか一項に記載の画像処理装置を含むことを特徴とする画像処理システム。
【発明の詳細な説明】
【技術分野】
【０００１】
本発明は、割り込み処理が可能な画像処理システム及び画像処理装置に関する。
【背景技術】
【０００２】
近年、画像処理装置はネットワーク中に配設され、同一ネットワーク中に配設されている複数の上位装置で共有する場合が多い。かかる状況下で、複数のユーザが上位装置を介して画像処理装置を有効に利用するためには、画像処理装置が上位装置から受け入れた印刷ジョブを印刷中であっても割り込んで印刷（コピー印刷を含む）出来ることが必要である。この割り込み処理を可能にする技術が種々開示されている（例えば特許文献１参照）。
【特許文献１】特開平０８−１８７１３号公報
【発明の開示】
【発明が解決しようとする課題】
【０００３】
しかしながら上記技術では、画像処理装置が所定の上位装置から受け入れた印刷ジョブを印刷中に割り込みコピー要求を受け入れると、印刷中の印刷ジョブは一義的に中断され割り込み要求に基づくコピー処理に切替えられていた。従って、上記従来の割り込み処理に於いては、印刷中の印刷ジョブの印刷処理と、割り込み要求に基づくコピー処理との間の優先度の高低は考慮されないという解決すべき課題が残されていた。
【課題を解決するための手段】
【０００４】
本発明は、第一のユーザから受け入れた印刷ジョブの印刷処理実行中に他の印刷ジョブによる割り込み処理が可能な画像処理装置であって、複数の印刷ジョブの印刷処理実行を先入れ先出し順に受け入れる印刷予約部と、第二のユーザの割り込み処理の要求により、該割り込み処理要求に基づく印刷ジョブのジョブ情報を取得し、上記第一のユーザへ送出し、割り込み処理の許可を求める割り込み処理部とを備え、上記割り込み処理部が上記割り込み処理の許可を取得すると、上記印刷予約部が、上記割り込み処理の許可に基づく印刷ジョブの印刷処理実行順を先頭に移動させることを主要な特徴とする。
【発明の効果】
【０００５】
割り込み処理部が所定のユーザから割り込み処理の許可を取得すると、印刷予約部が、割り込み処理の許可に基づく印刷ジョブの印刷処理実行順を先頭に移動させるので、印刷中の印刷ジョブと、割り込み要求に基づく印刷ジョブとの間の優先度の高低を考慮することが可能になるという効果を得る。
【発明を実施するための最良の形態】
【０００６】
以下、本発明の一実施形態を図を用いて詳細に説明する。
【実施例１】
【０００７】
図１は、実施例１の画像処理システムのシステム構成図である。
図に示すように、実施例１の画像処理システム１は、ＬＡＮ１１０を介して、複数の上位装置１２０、１３０・・・が画像処理装置１００と通信接続され構成される。
【０００８】
ＬＡＮ１１０は、構内ネットワークである。
上位装置１２０、１３０・・・は、ＬＡＮ１１０を介して画像処理装置１００を共有するパーソナルコンピュータ（ＰＣ）など、印刷ジョブを生成可能な装置である。この上位装置は、該上位装置のユーザが印刷処理を実行中に割り込み通知（割り込み要求）を受け入れたときに、その許可、不許可を通知する装置でもある。ここでは、上位装置１２０、１３０・・・として通常のＰＣを用いることとし、その構成についての説明を省略し、割り込み通知（割り込み要求）を受け入れたときに、許可、不許可を通知する機能のみについて他の図を用いて説明する。
【０００９】
図２は、実施例１で上位装置に表示される割り込み通知の内容説明図である。
図に示すように、「割り込みコピーが実行されようとしています。許可しますか？」の文章とユーザ情報が表示される。上位装置のユーザは、このユーザ情報を確認し、割り込みを許可する場合には許可ボタン４０１を押下する。また、許可しない場合には不可ボタン４０２を押下することにより、その許可、不許可を通知することになる。
【００１０】
図１に戻って、画像処理装置１００は、画像読取部１０１と、ネットワーク接続部１０２と、画像形成部１０３と、印刷予約取得部１０４と、割り込みコピー処理部１０５と、ユーザ情報記憶部１０６と、操作部１０７と、制御部１０８とを備え、ＬＡＮ１１０を介して、複数の上位装置１２０、１３０・・・から受信した印刷ジョブを印刷、又は割り込み印刷（コピー印刷を含む）する装置である。以下の説明では、割り込み印刷を割り込みコピー印刷に限定して説明する。
【００１１】
画像読取部１０１は、原稿画像を読取り、画像データに変換し、更に印刷ジョブを生成する部分である。ネットワーク接続部１０２は、ＬＡＮ１１０を介して上位装置１２０、１３０・・・と通信を行う部分である。従って、このネットワーク接続部１０２は、画像処理装置１００をＬＡＮ１１０に通信接続するためのプロトコル変換機能を有している。
【００１２】
画像形成部１０３は、画像読取部１０１により生成された印刷ジョブや、上位装置１２０、１３０・・から受信した印刷ジョブを印刷処理して印刷画像を出力する部分である。印刷予約取得部１０４は、その内部に先入れ先出しメモリ１０４ａを有し、画像読取部１０１や上位装置１２０、１３０・・・から印刷予約を受け付ける部分である。その後、受け付けた印刷予約を先入れ先出しメモリ１０４ａに一旦格納し、画像形成時に先入れ先出しメモリ１０４ａから取り出して逐次処理させる部分である。又、印刷予約取得部１０４は、印刷実行中に受け付けた割り込みコピー印刷の予約を先入れ先出しメモリ１０４ａの先頭に格納する機能をも有している。
【００１３】
割り込みコピー処理部１０５は、印刷予約取得部１０４から割り込みコピー処理要求を受け付けると、割り込み通知を生成し、現在印刷処理中の印刷ジョブの依頼元へ送信する部分である。ユーザ情報記憶部１０６は、割り込みコピー処理部１０５が割り込み通知を生成するために必要な情報、例えばユーザＩＤ毎の所属、役職、連絡先、等を予め格納する、ハードディスクや、フラッシュメモリなどの不揮発性媒体からなるデータベースである。
【００１４】
操作部１０７は、オペレーションパネル１０７ａを用いてユーザから割り込みコピーの実行処理を受け入れる等、ユーザと画像処理装置１００とのマンマシンインタフェースの役割を分担する部分である。ここでオペレーションパネル１０７ａの内容について詳細に説明する。
【００１５】
図３は、実施例１のユーザ情報入力時の表示例説明図である。
図に示すように、画面の中央に、「割り込みを通知します。ユーザ情報（ユーザＩＤ、ユーザ名）を入力して下さい。」等のメッセージが表示される表示部が設けられている。又画面左側にテンキーが設けられており、このテンキーを用いてユーザがユーザ情報（ユーザＩＤ、ユーザ名）を入力することになる。更に、画面の右側に割り込みキー３０１とスタートボタン３０２が設けられており、割り込みの実行を可能にしている。
【００１６】
図１に再度戻って、制御部１０８は、図示しないＲＯＭ（リードオンリメモリ）に予め格納されている所定の制御プログラムを実行することにより、上記各構成部分を制御し、装置全体を動作させる部分である。
【００１７】
以上説明した画像処理システム１の動作について説明する。
最初に割り込みコピー処理を１つの大きなフローとしてまとめた状態で説明し、続いて割り込みコピー処理を逐次細分化して説明する。
図４は、実施例１の画像処理装置の全体動作フローチャートである。
このフローチャートは割り込みコピー処理を１つのフローとしてまとめた状態で画像処理システム１の動作全体を説明するフローチャートである。ステップＳ２０１及びステップＳ２０２について図１を併用しながら説明する。
【００１８】
動作説明の前提条件として、画像処理システム１が上位装置１２０、１３０・・・からＬＡＮ１１０を介してネットワーク接続部１０２が印刷ジョブを受信し、印刷予約取得部１０４により、印刷ジョブが先入れ先出しメモリ１０４ａに既に格納さている。更に、制御部１０８の制御に基づいて、先入れ先出しメモリ１０４ａに既に格納さている印刷ジョブが逐次画像形成部１０３へ送出され印刷処理が実行されつつあるものとする。
【００１９】
ステップＳ２０１
ユーザにより割り込みキー３０１（図３）が押下された場合にはステップＳ２０２へ進み、押下されない場合には通常の印刷処理が実行されフローを終了する。
【００２０】
ステップＳ２０２
割り込みコピー処理が実行され、その終了後に通常の印刷処理が実行されフローを終了する。
【００２１】
続いて割り込みコピー処理を細分化して説明する。
図５は、実施例１の割り込みコピー処理のフローチャートである。
このフローチャートは割り込みコピー処理（上記ステップＳ２０２）を細分化したフローチャートである。ステップＳ２０３からステップＳ２１０まで図１を併用しながらステップ順に説明する。
【００２２】
ステップＳ２０３
制御部１０８は、画像形成部１０３を制御して進行中の印刷ジョブの印刷処理を中断させ、操作部１０７へユーザ情報として、ユーザＩＤ、ユーザ名の入力を促するメッセージ（図３）をオペレーションパネル１０７ａに表示させる。
【００２３】
ステップＳ２０４
制御部１０８は、操作部１０７からユーザＩＤ、ユーザ名などのユーザ情報を受け入れ、更にユーザによるスタートボタン３０２の押下を検出するとステップＳ２０５へ進む。
【００２４】
ステップＳ２０５
制御部１０８は、割り込みコピー処理部１０５を制御して割り込み通知の生成を開始させる。まずユーザ情報の付加処理を実行させる。この処理内容については後に再度詳細に説明する。
【００２５】
ステップＳ２０６
制御部１０８の制御に基づいて割り込みコピー処理部１０５は、印刷中であった印刷ジョブを送信した上位装置（ここでは上位装置１２０であったと仮定する）に対してネットワーク接続部１０２、及びＬＡＮ１１０を介してユーザ情報が付加された割り込み通知を送信する。
【００２６】
ステップＳ２０７
制御部１０８は、ＬＡＮ１１０、及びネットワーク接続部１０２を介して上位装置１２０から割り込み通知に対する返信通知を受信しない内はステップＳ２０８へ進み、受信するとステップＳ２０９へ抜ける。
【００２７】
ステップＳ２０８
返信通知受信のための制限時間（予め設定されている）をタイムアウトした場合にはステップＳ２０９へ進み、タイムアウトするまでステップＳ２０７からステップＳ２０８を繰り返し、受信するとステップＳ２０９へ抜けることになる。
【００２８】
ステップＳ２０９
返信通知により割り込みが許可されている場合にはステップＳ２１０へ進み、許可されていない場合には（割り込みコピーは実行されないで）フローを終了する。ここで許可されているか否かの判断は、返信通知において、上位装置１２０のユーザにより図２における許可ボタン４０１が押下されているか不可ボタン４０２が押下されているかにより判断される。又、ステップＳ２０８でタイムアウトしている場合には許可されていないと判断される。
【００２９】
ステップＳ２１０
制御部１０８は、画像読取部１０１を制御して原稿を読み取らせ、割り込み印刷ジョブを生成させる。又、制御部１０８は、印刷予約取得部１０４を制御して、この割り込み印刷ジョブを先入れ先出しメモリ１０４ａの先頭に格納する。更に、制御部１０８は、画像形成部１０３を制御して割り込みコピー印刷を実行させてフローを終了する。
【００３０】
図６は、実施例１のユーザ情報付加処理のフローチャートである。
このフローチャートはユーザ情報付加処理（上記ステップＳ２０５）を詳細に説明するフローチャートである。ステップＳ２１１からステップＳ２１４まで図１を併用しながらステップ順に説明する。
【００３１】
ステップＳ２１１
割り込みコピー処理部１０５は、操作部１０７からユーザＩＤ、及びユーザ名を受け入れて割り込み通知に付加する。
【００３２】
ステップＳ２１２
割り込みコピー処理部１０５は、受け入れたユーザＩＤに基づいてユーザ情報記憶部１０６からユーザ情報を検索する。
【００３３】
ステップＳ２１３
ユーザ情報が検出された場合にはステップＳ２１４へ進み、検出されなかった場合にはフローを終了する。
【００３４】
ステップＳ２１４
割り込みコピー処理部１０５は、検出したユーザ情報（所属、役職、連絡先など）を割り込み通知に付加してフローを終了する。
【００３５】
次に上記ステップＳ２０６で画像処理装置１００から送信された割り込み通知を受信した上位装置１２０の動作について説明する。
【００３６】
図７は、実施例１の上位装置の動作フローチャートである。
このフローチャートは上位装置１２０の動作を詳細に説明するフローチャートである。ステップＳ２１５からステップＳ２１７まで図１を併用しながらステップ順に説明する。
【００３７】
ステップＳ２１５
上位装置１２０が画像処理装置１００からＬＡＮ１１０を介して割り込み通知を受信するとステップＳ２１６へ進み、受信しなければフローを終了する。
【００３８】
ステップＳ２１６
上位装置１２０の図示しない表示部に割り込み通知の内容（図２）が表示される。
【００３９】
ステップＳ２１７
現在印刷処理中の印刷ジョブの送信者であるユーザが、割り込み通知の内容（図２）に基づいて、割り込み通知返信処理を実行してフローを終了する。この割り込み通知返信処理の詳細については、以下に説明する。
【００４０】
図８は、実施例１の割り込み通知返信処理のフローチャートである。
このフローチャートは上位装置における割り込み通知返信処理（上記ステップＳ２１７）を詳細に説明するフローチャートである。ステップＳ２１８からステップＳ２２１まで図１を併用しながらステップ順に説明する。
【００４１】
ステップＳ２１８
上位装置１２０のユーザが割り込み通知（図２）を受け入れて割り込みを許可する場合にはステップＳ２２２へ進み、それ以外の場合にはステップＳ２１９へ進む。
【００４２】
ステップＳ２１９
上位装置１２０のユーザが、割り込みを不許可とする場合にはステップＳ２２３へ進み、それ以外の場合にはステップＳ２２０へ進む。
【００４３】
ステップＳ２２０
割り込み許可のための制限時間（予め設定されている）をタイムアウトした場合にはステップＳ２２１へ進み、タイムアウトするまでステップＳ２１８からステップＳ２２０を繰り返し、タイムアウトするとステップＳ２２１へ抜けることになる。
【００４４】
ステップＳ２２１
タイムアウト時間が経過すると割り込み通知（図２）の表示がなくなりフローを終了する。
【００４５】
ステップＳ２２２
上位装置１２０のユーザが、許可ボタン４０１を押下して割り込み許可通知を返信してフローを終了する。
【００４６】
ステップＳ２２３
上位装置１２０のユーザが、不可ボタン４０２を押下して割り込み不可通知を返信してフローを終了する。
【００４７】
以上説明したように、本実施例による画像処理装置１００は、割り込みコピー処理の要求が発生した場合に、現時点で印刷処理が進行中のユーザに対して割り込み処理通知を通知する。そして、進行中のユーザから割り込み許可通知を受信した場合のみに割り込み処理を実行する。その結果、印刷中の印刷ジョブの印刷処理と、割り込み要求に基づくコピー処理との間の優先度の高低が考慮されるという効果を得る。
【００４８】
更に、割り込み処理通知にユーザ情報が付加されているため、進行中のユーザが、割り込みを許可とするか、不可とするかの判断材料を提供することで、判断に要する時間を短縮させることができる。
【実施例２】
【００４９】
上記実施例１では、現時点で印刷処理が進行中の印刷ジョブと、割り込み要求に基づく印刷ジョブとの優先度の高低をユーザ情報により判断したが、本実施例では、この優先度の高低を割り込み要求に基づく印刷ジョブの印刷枚数に基づいて判断するものとする。かかる目的を達成するために本実施例による画像処理システムは以下のように構成される。
【００５０】
図９は、実施例２の画像処理システムのシステム構成図である。
図に示すように、実施例２の画像処理システム２は、ＬＡＮ１１０を介して、複数の上位装置２２０、２３０・・・が画像処理装置２００と通信接続され構成される。以下に実施例１との相違部分のみについて説明する。実施例１と同様の部分については実施例１と同一の符号を付して説明を省略する。
【００５１】
上位装置２２０、２３０・・・は、ＬＡＮ１１０を介して画像処理装置２００を共有するパーソナルコンピュータ（ＰＣ）など、印刷ジョブを生成可能な装置である。この上位装置は、該上位装置のユーザが印刷処理を実行中に割り込み通知（割り込み要求）を受け入れたときに、その許可、不許可を通知する装置でもある。ここでは、上位装置２２０、２３０・・・として通常のＰＣを用いることとし、その構成についての説明を省略し、割り込み通知（割り込み要求）を受け入れたときに、許可、不許可を通知する機能のみについて他の図を用いて説明する。
【００５２】
図１０は、実施例２で上位装置に表示される割り込み通知の内容説明図である。
図に示すように、「割り込みコピーが実行されようとしています。許可しますか？」の文章と印刷枚数が表示される。上位装置のユーザは、このユーザ情報を確認し、割り込みを許可する場合には許可ボタン４０１を押下する。また、許可しない場合には不可ボタン４０２を押下することにより、その許可、不許可を通知することになる。
【００５３】
図９に戻って、画像処理装置２００は、画像読取部１０１と、ネットワーク接続部１０２と、画像形成部１０３と、印刷枚数取得部２０９と、割り込みコピー処理部２０６と、ユーザ情報記憶部１０６と、操作部２０７と、制御部２０５とを備え、ＬＡＮ１１０を介して、複数の上位装置２２０、２３０・・・から受信した印刷ジョブを印刷、又は割り込み印刷する装置である。
【００５４】
割り込みコピー処理部２０６は、印刷予約取得部１０４から割り込みコピー処理要求を受け付けると、割り込み通知（図２、図１０）を生成し、現在印刷処理中の印刷ジョブの依頼元へ送信する部分である。
【００５５】
印刷枚数取得部２０９は、その内部に印刷枚数メモリ２０９ａを有し、画像読取部１０１から受け入れた印刷ジョブのコピー枚数を算出し、印刷枚数メモリ２０９ａに一時格納する部分である。
【００５６】
操作部２０７は、オペレーションパネル２０７ａを用いてユーザから割り込みコピーの実行処理を受け入れる等、ユーザと画像処理装置２００とのマンマシンインタフェースの役割を分担する部分である。ここでオペレーションパネル２０７ａの内容について詳細に説明する。
【００５７】
図１１は、実施例２の印刷枚数入力時の表示例説明図である。
図に示すように、画面の中央に、「割り込みを通知します。印刷部数を入力して下さい。」等のメッセージが表示される表示部が設けられている。又画面左側にテンキーが設けられており、このテンキーを用いてユーザが印刷部数を入力することになる。更に、画面の右側に割り込みキー８０１とスタートボタン８０２が設けられており、割り込みの実行を可能にしている。
【００５８】
制御部２０５は、図示しないＲＯＭ（リードオンリメモリ）に予め格納されている所定の制御プログラムを実行することにより、上記各構成部分を制御し、装置全体を動作させる部分である。
【００５９】
以上説明した画像処理システム２の動作について説明する。
実施例１における動作説明と同様に、最初に割り込みコピー処理を１つの大きなフローとしてまとめた状態で説明し、続いて割り込みコピー処理を逐次細分化して説明する。
【００６０】
図１２は、実施例２の画像処理装置の全体動作フローチャートである。
このフローチャートは割り込みコピー処理を１つのフローとしてまとめた状態で画像処理システム２の動作全体を説明するフローチャートである。ステップＳ６０１及びステップＳ６０２について図９を併用しながら説明する。
【００６１】
動作説明の前提条件として、画像処理装置２が上位装置２２０、２３０・・・からＬＡＮ１１０を介してネットワーク接続部１０２が印刷ジョブを受信し、印刷予約取得部１０４により、印刷ジョブが先入れ先出しメモリ１０４ａに既に格納さている。更に、制御部２０５の制御に基づいて、先入れ先出しメモリ１０４ａに既に格納さている印刷ジョブが逐次画像形成部１０３へ送出され印刷処理が実行されつつあるものとする。
【００６２】
ステップＳ６０１
ユーザにより割り込みキー３０１（図３）が押下された場合にはステップＳ６０２へ進み、押下されない場合には通常の印刷処理が実行されフローを終了する。
【００６３】
ステップＳ６０２
割り込みコピー処理が実行され、その終了後に通常の印刷処理が実行されフローを終了する。
【００６４】
続いて割り込みコピー処理を細分化して説明する。
図１３は、実施例２の割り込みコピー処理のフローチャートである。
このフローチャートは割り込みコピー処理（上記ステップＳ６０２）を細分化したフローチャートである。ステップＳ６０３からステップＳ６１０まで図９を併用しながらステップ順に説明する。
【００６５】
ステップＳ６０３
制御部２０５は、画像形成部１０３を制御して進行中の印刷ジョブの印刷処理を中断させ、操作部２０７へ印刷部数の入力を促するメッセージ（図１１）をオペレーションパネル２０７ａに表示させる。
【００６６】
ステップＳ６０４
制御部２０５は、操作部２０７から印刷部数を受け入れ、更にユーザによるスタートボタン８０２の押下を検出するとステップＳ６０５へ進む。
【００６７】
ステップＳ６０５
制御部２０５は、割り込みコピー処理部２０６を制御して割り込み通知の生成を開始させる。まず印刷枚数の付加処理を実行させる。この処理内容については後に再度詳細に説明する。
【００６８】
ステップＳ２０６
制御部２０５の制御に基づいて割り込みコピー処理部２０６は、印刷中であった印刷ジョブを送信した上位装置（ここでは上位装置２２０であったと仮定する）に対してネットワーク接続部１０２、及びＬＡＮ１１０を介して印刷枚数が付加された割り込み通知を送信する。
【００６９】
ステップＳ６０７
制御部２０５は、ＬＡＮ１１０、及びネットワーク接続部１０２を介して上位装置２２０から割り込み通知に対する返信通知を受信しない内はステップＳ６０８へ進み、受信するとステップＳ６０９へ抜ける。
【００７０】
ステップＳ６０８
返信通知受信のための制限時間（予め設定されている）をタイムアウトした場合にはステップＳ６０９へ進み、タイムアウトするまでステップＳ６０７からステップＳ６０８を繰り返し、受信するとステップＳ６０９へ抜けることになる。
【００７１】
ステップＳ６０９
返信通知により割り込みが許可されている場合にはステップＳ６１０へ進み、許可されていない場合には（割り込みコピーは実行されないで）フローを終了する。ここで許可されているか否かの判断は、返信通知において、上位装置２２０のユーザにより図１０における許可ボタン７０１が押下されているか不可ボタン７０２が押下されているかにより判断される。又、ステップＳ６０８でタイムアウトしている場合には許可されていないと判断される。
【００７２】
ステップＳ６１０
制御部２０５は、画像読取部１０１を制御して原稿を読み取らせ、割り込み印刷ジョブを生成させる。又、制御部２０５は、印刷予約取得部１０４を制御して、この割り込み印刷ジョブを先入れ先出しメモリ１０４ａの先頭に格納する。更に、制御部２０５は、画像形成部１０３を制御して割り込みコピー印刷を実行させてフローを終了する。
【００７３】
図１４は、実施例２の印刷枚数付加処理のフローチャートである。
このフローチャートは印刷枚数付加処理（上記ステップＳ６０５）を詳細に説明するフローチャートである。ステップＳ６１１からステップＳ６１４まで図９を併用しながらステップ順に説明する。
【００７４】
ステップＳ６１１
スタートボタン８０２（図１１）が押下されると入力された印刷部数はパラメータとして印刷枚数メモリ２０９ａへ格納される。
【００７５】
ステップＳ６１２
画像読取部１０１は、原稿読取を開始する。
【００７６】
ステップＳ６１３
画像読取部１０１は、読み取った枚数をパラメータとして印刷枚数メモリ２０９ａへ格納する。
【００７７】
ステップＳ６１４
印刷枚数取得部２０９は、印刷枚数メモリ２０９ａからパラメータとして格納されている印刷部数と原稿読取枚数から印刷枚数を算出し、割り込みコピー処理部２０６へ送出する。
【００７８】
ステップＳ６１５
割り込みコピー処理部２０６は、受け入れた印刷枚数を割り込み通知に付加してフローを終了する。
【００７９】
次に上記ステップＳ６０６で画像処理装置２００から送信された割り込み通知を受信した上位装置２２０の動作について説明する。
【００８０】
図１５は、実施例２の上位装置の動作フローチャートである。
このフローチャートは上位装置２２０の動作を詳細に説明するフローチャートである。ステップＳ６１６からステップＳ６１８まで図９を併用しながらステップ順に説明する。
【００８１】
ステップＳ６１６
上位装置２２０が画像処理装置２００からＬＡＮ１１０を介して割り込み通知を受信するとステップＳ６１７へ進み、受信しなければフローを終了する。
【００８２】
ステップＳ６１７
上位装置２２０の図示しない表示部に割り込み通知の内容（図１０）が表示される。
【００８３】
ステップＳ６１８
現在印刷処理を実行中の印刷ジョブの送信者としてのユーザが、割り込み通知の内容（図１０）に基づいて、割り込み通知返信処理を実行してフローを終了する。この割り込み通知返信処理の詳細については、以下に説明する。
【００８４】
図１６は、実施例２の割り込み通知返信処理のフローチャートである。
このフローチャートは上位装置における割り込み通知返信処理（上記ステップＳ６１８）を詳細に説明するフローチャートである。ステップＳ６１９からステップＳ６２２まで図９を併用しながらステップ順に説明する。
【００８５】
ステップＳ６１９
上位装置２２０のユーザが割り込み通知（図１０）を受け入れて割り込みを許可する場合にはステップＳ６２３へ進み、それ以外の場合にはステップＳ６２０へ進む。
【００８６】
ステップＳ６２０
上位装置２２０のユーザが、割り込みを不許可とする場合にはステップＳ６２４へ進み、それ以外の場合にはステップＳ６２１へ進む。
ステップＳ６２１
割り込み許可のための制限時間（予め設定されている）をタイムアウトした場合にはステップＳ６２２へ進み、タイムアウトするまでステップＳ６１９からステップＳ６２１を繰り返し、タイムアウトするとステップＳ６２２へ抜けることになる。
【００８７】
ステップＳ６２２
タイムアウト時間が経過すると割り込み通知（図１０）の表示がなくなりフローを終了する。
【００８８】
ステップＳ６２３
上位装置２２０のユーザが、許可ボタン７０１を押下して割り込み許可通知を返信してフローを終了する。
【００８９】
ステップＳ６２４
上位装置２２０のユーザが、不可ボタン７０２を押下して割り込み不可通知を返信してフローを終了する。
【００９０】
以上説明したように、本実施例によれば、割り込み通知に印刷枚数が付加されているので、印刷中の印刷ジョブの印刷処理と、割り込み要求に基づくコピー処理との間の優先度の高低を印刷中の印刷ジョブの遅れ時間の観点から判断できるという効果をえる。
【００９１】
尚、上記説明では、実施例１と実施例２をそれぞれ別個に説明したが、本発明は、この例に限定されるものではない。即ち、現時点で印刷処理が進行中の印刷ジョブと、割り込み要求に基づく印刷ジョブとの優先度の高低をユーザ情報（実施例１）、及び印刷ジョブの印刷枚数（実施例２）の双方に基づいて判断するものとしても良い。
【産業上の利用可能性】
【００９２】
上記実施例では、本発明を画像処理装置の印刷中における割り込みコピーに適用した場合に限定して説明したが、本発明は、この例に限定されるものではない。即ち、画像処理装置の印刷中における、他の上位装置からの割り込み印刷要求にも適用可能である。又、画像処理装置のみならず、画像形成装置にも適用可能である。
【図面の簡単な説明】
【００９３】
【図１】実施例１の画像処理システムのシステム構成図である。
【図２】実施例１で上位装置に表示される割り込み通知の内容説明図である。
【図３】実施例１のユーザ情報入力時の表示例説明図である。
【図４】実施例１の画像処理装置の全体動作フローチャートである。
【図５】実施例１の割り込みコピー処理のフローチャートである。
【図６】実施例１のユーザ情報付加処理のフローチャートである。
【図７】実施例１の上位装置の動作フローチャートである。
【図８】実施例１の割り込み通知返信処理のフローチャートである。
【図９】実施例２の画像処理システムのシステム構成図である。
【図１０】実施例２で上位装置に表示される割り込み通知の内容説明図である。
【図１１】実施例２の印刷枚数入力時の表示例説明図である。
【図１２】実施例２の画像処理装置の全体動作フローチャートである。
【図１３】実施例２の割り込みコピー処理のフローチャートである。
【図１４】実施例２の印刷枚数付加処理のフローチャートである。
【図１５】実施例２の上位装置の動作フローチャートである。
【図１６】実施例２の割り込み通知返信処理のフローチャートである。
【符号の説明】
【００９４】
１    画像処理システム
１０１    画像読取部
１０２    ネットワーク接続部
１０３    画像形成部
１０４    印刷予約取得部
１０４ａ    先入れ先出しメモリ
１０５    割り込みコピー処理部
１０６    ユーザ情報記憶部
１０７    操作部
１０７ａ    オペレーションパネル
１０８    制御部
【図１】
2009193501.tif 000003
【図２】
2009193501.tif 000004
【図３】
2009193501.tif 000005
【図４】
2009193501.tif 000006
【図５】
2009193501.tif 000007
【図６】
2009193501.tif 000008
【図７】
2009193501.tif 000009
【図８】
2009193501.tif 000010
【図９】
2009193501.tif 000011
【図１０】
2009193501.tif 000012
【図１１】
2009193501.tif 000013
【図１２】
2009193501.tif 000014
【図１３】
2009193501.tif 000015
【図１４】
2009193501.tif 000016
【図１５】
2009193501.tif 000017
【図１６】
2009193501.tif 000018